(57)【要約】【課題】ユーザの利便性を高めることができる画像処理装置を得る。【解決手段】本発明の画像処理装置は、第１の画像データにおける第１の位置に特定パターンが有るか否かを検出する検出部と、検出部による検出結果に基づいてデータ情報を生成する処理部と、第１の位置に対応する第２の位置にデータ情報を配置することにより第２の画像データを生成する生成部とを備える。【選択図】図８
2017046171.tif 000002
【特許請求の範囲】
【請求項１】
第１の画像データにおける第１の位置に特定パターンが有るか否かを検出する検出部と、
前記検出部による検出結果に基づいてデータ情報を生成する処理部と、
前記第１の位置に対応する第２の位置に前記データ情報を配置することにより第２の画像データを生成する生成部と
を備えた画像処理装置。
【請求項２】
前記処理部は、
特定パターンと、第１の位置と、データ情報とを関連づけたデータセットを複数セット記憶するデータベースを有し、
前記検出部による検出結果に基づいて、前記データベースを用いて、前記データ情報を生成する
請求項１に記載の画像処理装置。
【請求項３】
各データセットには、さらに第２の位置をも関連づけられており、
前記処理部は、前記データ情報に加え、前記第２の位置をも生成する
請求項２に記載の画像処理装置。
【請求項４】
前記検出部は、前記第２の位置において印刷対象領域をさらに検出し、
前記生成部は、前記印刷対象領域に、前記データ情報のうちの少なくとも一部を配置する
請求項１から請求項３のいずれか一項に記載の画像処理装置。
【請求項５】
第１の印刷媒体から前記第１の画像データを読み取る読取部をさらに備えた
請求項１から請求項４のいずれか一項に記載の画像処理装置。
【請求項６】
前記生成部は、前記第１の画像データに前記データ情報を重ねて配置することにより前記第２の画像データを生成する
請求項１から請求項５のいずれか一項に記載の画像処理装置。
【請求項７】
前記第２の画像データを表示する表示部をさらに備えた
請求項６に記載の画像処理装置。
【請求項８】
前記第２の画像データに基づいて第２の印刷媒体上に画像を形成する画像形成部をさらに備えた
請求項６または請求項７に記載の画像処理装置。
【請求項９】
前記第２の画像データに基づいて前記第１の印刷媒体上に画像を形成する画像形成部をさらに備えた
請求項５に記載の画像処理装置。
【請求項１０】
第１の印刷媒体から第１の画像データを読み取る読取部と、
前記第１の画像データに基づいて、第２の画像データを修正する修正部と、
前記修正部により修正された前記第２の画像データに基づいて画像を形成する画像形成部と
を備えた画像形成装置。
【請求項１１】
前記第２の画像データを受け取る通信部をさらに備えた
請求項１０に記載の画像形成装置。
【請求項１２】
前記第２の画像データを生成する生成部をさらに備えた
請求項１０に記載の画像形成装置。
【請求項１３】
前記修正部は、前記第１の画像データにおいて特定パターンを検出し、その検出結果に基づいて前記第２の画像データを修正する
請求項１０から請求項１２のいずれか一項に記載の画像形成装置。
【請求項１４】
前記修正部は、前記第２の画像データの少なくとも一部の位置を変更することにより、前記第２の画像データを修正する
請求項１０から請求項１３のいずれか一項に記載の画像形成装置。
【請求項１５】
前記修正部は、前記第２の画像データの少なくとも一部を拡大または縮小することにより、前記第２の画像データを修正する
請求項１０から請求項１４のいずれか一項に記載の画像形成装置。
【請求項１６】
前記画像形成部は、修正された前記第２の画像データに基づいて、前記第１の印刷媒体上に画像を形成する
請求項１０から請求項１５のいずれか一項に記載の画像形成装置。
【請求項１７】
前記画像形成部は、前記第１の画像データおよび修正された前記第２の画像データに基づいて、第２の印刷媒体上に画像を形成する
請求項１０から請求項１５のいずれか一項に記載の画像形成装置。
【発明の詳細な説明】
【技術分野】
【０００１】
本発明は、画像データを処理する画像処理装置、および印刷媒体上に画像を形成する画像形成装置に関する。
【背景技術】
【０００２】
画像形成装置には、スキャナ機能を備えたものがある。例えば、特許文献１には、印刷媒体の片面に印刷された画像を読み取るスキャナ部と、その印刷媒体の、画像を読み取った面とは反対の面に対して印刷を行う印刷部とを備えた画像形成装置が開示されている。
【先行技術文献】
【特許文献】
【０００３】
【特許文献１】特開２０１０−１７１６３６号公報
【発明の概要】
【発明が解決しようとする課題】
【０００４】
ところで、一般に、電子機器では、ユーザの利便性が高いことが期待されており、画像処理装置および画像形成装置においても、さらなる利便性の向上が期待されている。
【０００５】
本発明はかかる問題点に鑑みてなされたもので、その目的は、ユーザの利便性を高めることができる画像処理装置および画像形成装置を提供することにある。
【課題を解決するための手段】
【０００６】
本発明の画像処理装置は、検出部と、処理部と、生成部とを備えている。検出部は、第１の画像データにおける第１の位置に特定パターンが有るか否かを検出するものである。処理部は、検出部による検出結果に基づいてデータ情報を生成するものである。生成部は、第１の位置に対応する第２の位置にデータ情報を配置することにより第２の画像データを生成するものである。
【０００７】
本発明の画像形成装置は、読取部と、修正部と、画像形成部とを備えている。読取部は、第１の印刷媒体から第１の画像データを読み取るものである。修正部は、第１の画像データに基づいて、第２の画像データを修正するものである。画像形成部は、修正部により修正された第２の画像データに基づいて画像を形成するものである。
【発明の効果】
【０００８】
本発明の画像処理装置によれば、検出部による検出結果に基づいてデータ情報を生成し、そのデータ情報に基づいて第２の画像データを生成するようにしたので、ユーザの利便性を高めることができる。
【０００９】
本発明の画像形成装置によれば、第１の印刷媒体から読み取った第１の画像データに基づいて第２の画像データを修正するようにしたので、ユーザの利便性を高めることができる。
【図面の簡単な説明】
【００１０】
【図１】本発明の一実施の形態に係る画像形成装置の一構成例を表すブロック図である。
【図２】第１の実施の形態に係る画像形成装置における動作の一具体例を表す説明図である。
【図３】第１の実施の形態に係る画像形成装置の制御機構の一例を表すブロック図である。
【図４】図３に示したホストＰＣにおけるソフトウェア構成の一例を表す構成図である。
【図５】図４に示した付加情報設定部の一動作例を表す説明図である。
【図６Ａ】第１の実施の形態に係る画像形成装置の一動作例を表すフローチャートである。
【図６Ｂ】第１の実施の形態に係る画像形成装置の一動作例を表すフローチャートである。
【図７】変形例に係る印刷媒体の一具体例を表す説明図である。
【図８】第２の実施の形態に係る画像形成装置における動作の一具体例を表す説明図である。
【図９】第２の実施の形態に係る画像形成装置の制御機構の一例を表すブロック図である。
【図１０】図９に示したサーバにおけるソフトウェア構成の一例を表す構成図である。
【図１１】図１０に示したデータベースの一構成例を表す説明図である。
【図１２】図１１に示した採点処理部５２の一動作例を表す説明図である。
【図１３Ａ】第２の実施の形態に係る画像形成装置の一動作例を表すフローチャートである。
【図１３Ｂ】第２の実施の形態に係る画像形成装置の一動作例を表すフローチャートである。
【図１４】第２の実施の形態の変形例に係る画像形成装置の制御機構の一例を表すブロック図である。
【発明を実施するための形態】
【００１１】
以下、本発明の実施の形態について、図面を参照して詳細に説明する。なお、説明は以下の順序で行う。
１．第１の実施の形態
２．第２の実施の形態
【００１２】
＜１．第１の実施の形態＞
［構成例］
図４は、本発明の第１の実施の形態に係る画像形成装置（画像形成装置１）の一構成例を表すものである。この画像形成装置１は、コピー機、ファクシミリ、スキャナなどの機能を有する、いわゆる多機能周辺装置（ＭＦＰ；Multi Function Peripheral）である。画像形成装置１は、画像読取ユニット１０と、画像形成ユニット２０とを備えている。
【００１３】
画像読取ユニット１０は、印刷媒体８の画像を読み取るものである。画像読取ユニット１０は、供給トレイ１２と、イメージセンサ１３と、排出トレイ１４とを有している。この画像読取ユニット１０は、ＡＤＦ（Auto Document Feeder）機能を有するものである。供給トレイ１２は、画像を読み取るべき印刷媒体８がセットされるものである。イメージセンサ１３は、画像を読み取るセンサである。排出トレイ１４は、画像が読み取られた印刷媒体８が排出されるものである。
【００１４】
この構成により、画像読取ユニット１０は、供給トレイ１２にセットした印刷媒体８を、搬送路９Ａに沿って、イメージセンサ１３に搬送する。そして、画像読取ユニット１０は、イメージセンサ１３により画像が読み取られた印刷媒体８を排出トレイ１４に導くようになっている。また、画像読取ユニット１０は、印刷媒体８を搬送路９Ｂに沿って搬送することにより、印刷媒体８を裏返す機能をも有している。これにより、画像読取ユニット１０は、印刷媒体８の両面の画像を読み取ることができるようになっている。
【００１５】
また、画像読取ユニット１０は、画像が読み取られた印刷媒体８を、搬送路９Ｃに沿って、画像形成ユニット２０に搬送する機能をも有している。
【００１６】
画像形成ユニット２０は、印刷媒体８に対して画像を形成するものである。画像形成ユニット２０は、供給トレイ２１と、４つのＩＤ（Image Dram）ユニット２２（２２Ｋ，２２Ｙ，２２Ｍ，２２Ｃ）と、４つの光源２４（２４Ｋ，２４Ｙ，２４Ｍ，２４Ｃ）と、４つの転写ローラ２５（２５Ｋ，２５Ｙ，２５Ｍ，２５Ｃ）と、定着部２６と、排出トレイ２７とを有している。
【００１７】
供給トレイ２１は、画像を形成すべき印刷媒体８がセットされるものである。
【００１８】
４つのＩＤユニット２２は、トナー像をそれぞれ形成するものである。具体的には、ＩＤユニット２２Ｋは黒色のトナー像を形成するものであり、ＩＤユニット２２Ｙは黄色のトナー像を形成するものであり、ＩＤユニット２２Ｍはマゼンタ色のトナー像を形成するものであり、ＩＤユニット２２Ｃはシアン色のトナー像を形成するものである。ＩＤユニット２２Ｋ，２２Ｙ，２２Ｍ，２２Ｃは、搬送方向Ｆにこの順で配置されている。
【００１９】
各ＩＤユニット２２は、感光体２３を有している。感光体２３は、表面（表層部分）に静電潜像を担持する部材である。具体的には、ＩＤユニット２２Ｋの感光体２３Ｋは、光源２４Ｋにより露光されることにより静電潜像が形成され、ＩＤユニット２２Ｙの感光体２３Ｙは、光源２４Ｙにより露光されることにより静電潜像が形成され、ＩＤユニット２２Ｍの感光体２３Ｍは、光源２４Ｍにより露光されることにより静電潜像が形成され、ＩＤユニット２２Ｃの感光体２３Ｃは、光源２４Ｃにより露光されることにより静電潜像が形成されるようになっている。そして、各感光体２３では、静電潜像に基づいてトナー像が形成されるようになっている。
【００２０】
４つの光源２４は、４つのＩＤユニット２２の感光体２３に対して、光をそれぞれ照射する部材である。具体的には、光源２４Ｋは感光体２３Ｋに対して光を照射し、光源２４Ｙは感光体２３Ｙに対して光を照射し、光源２４Ｍは感光体２３Ｍに対して光を照射し、光源２４Ｃは感光体２３Ｃに対して光を照射する。これにより、これらの感光体２３は、各光源２４によりそれぞれ露光されるようになっている。
【００２１】
４つの転写ローラ２５は、４つのＩＤユニット２２により形成されたトナー像を、印刷媒体８の被転写面上に静電的にそれぞれ転写するための部材である。転写ローラ２５Ｋは、搬送路９Ｅを介して感光体２３Ｋに対向配置されており、転写ローラ２５Ｙは、搬送路９Ｅを介して感光体２３Ｙに対向配置されており、転写ローラ２５Ｍは、搬送路９Ｅを介して感光体２３Ｍに対向配置されており、転写ローラ２５Ｃは、搬送路９Ｅを介して感光体２３Ｃに対向配置されている。この構成により、画像形成ユニット２０では、各ＩＤユニット２２により形成されたトナー像が、印刷媒体８の被転写面上に転写されるようになっている。
【００２２】
定着部２６は、印刷媒体８に対し熱および圧力を付与することにより、印刷媒体８上に転写されたトナー像を印刷媒体８に定着させる部材である。定着部２６は、ヒートローラ２６Ａと、加圧ローラ２６Ｂとを有している。ヒートローラ２６Ａは、例えば、その内部にハロゲンランプ等の加熱ヒータを含んで構成されており、印刷媒体８上のトナーに対して熱を付与する部材である。加圧ローラ２６Ｂは、ヒートローラ２６Ａとの間に圧接部が形成されるように配置されており、印刷媒体８上のトナーに対して圧力を付与する部材である。これにより、定着部２６では、印刷媒体８上のトナーが、加熱され、融解し、加圧される。その結果、トナー像が印刷媒体８上に定着するようになっている。
【００２３】
排出トレイ２７は、画像が形成された印刷媒体８が排出されるものである。
【００２４】
この構成により、画像形成ユニット２０は、画像読取ユニット１０から搬送路９Ｃに沿って搬送された印刷媒体８、または、供給トレイ２１から搬送路９Ｄに沿って搬送された印刷媒体８を、搬送路９Ｅに沿って、４つのＩＤユニット２２に搬送する。そして、画像形成ユニット２０は、４つのＩＤユニット２２によりトナー像が転写された印刷媒体８を、搬送路９Ｅに沿って、定着部２６に搬送する。そして、画像形成ユニット２０は、トナー像が定着した印刷媒体８を、搬送路９Ｅに沿って、排出トレイ２７に搬送する。このようにして、画像形成ユニット２０は、印刷媒体８に対して印刷を行うようになっている。
【００２５】
この画像形成装置１では、後述するように、ホストＰＣ４０（後述）から供給されたプリントデータＤＰに基づいて、画像読取ユニット１０が、供給トレイ１２にセットされた印刷媒体８の画像を読み取り、スキャンデータＤＳを生成する。そして、画像形成装置１は、このスキャンデータＤＳに基づいて、プリントデータＤＰを修正する。そして、画像形成ユニット２０が、この修正されたプリントデータＤＰに基づいて、画像を読み取った印刷媒体８に対して印刷を行うようになっている。
【００２６】
図２は、画像形成装置１における動作の一具体例を表すものである。この例では、印刷媒体８は、日本で用いられるはがきである。このはがきは、切手欄８１、郵便番号欄８２、および広告８３を有している（図２（Ａ））。画像読取ユニット１０は、このようなはがきを読み取り、スキャンデータＤＳを生成する（図２（Ｂ））。ホストＰＣ４０（後述）から供給されたプリントデータＤＰには、郵便番号、宛先住所、宛名などの付加情報ＩＮＦが含まれている。画像形成装置１は、このスキャンデータＤＳに基づいて、郵便番号、宛先住所、宛名などの印刷位置および大きさを求め、プリントデータＤＰを修正する。そして、画像形成ユニット２０が、図２（Ｃ）に示すように、この修正されたプリントデータＤＰに基づいて、そのはがきに、郵便番号、宛先住所、宛名などの情報を印刷する。具体的には、画像形成ユニット２０は、郵便番号欄８２に郵便番号を印刷し、印刷対象領域８４に宛先住所および宛名を印刷するようになっている。
【００２７】
図３は、画像形成装置１における制御機構の一例を表すものである。画像形成装置１は、通信部３１と、スキャナ制御部１８と、スキャン画像変換部１９と、入力部３２と、表示部３３と、設定管理部３４と、記憶部３５と、データ解析部３６と、画像形成制御部２８と、印刷イメージ生成部２９と、制御部３９とを有している。
【００２８】
通信部３１は、この例では、ホストＰＣ（Personal Computer）４０から、プリントデータＤＰを受け取るものである。通信部３１は、例えば、ＵＳＢ（Universal Serial Bus）によりホストＰＣ４０と接続されるようにしてもよいし、ＬＡＮ（Local Area Network）を介してホストＰＣ４０に接続されるようにしてもよい。
【００２９】
図４は、ホストＰＣ４０のソフトウェア構成の一例を表すものである。ホストＰＣ４０には、アプリケーションソフトウェア４１およびプリンタドライバ４２がインストールされている。アプリケーションソフトウェア４１は、例えばワードプロセッサソフトウェアや表計算ソフトウェアなどであり、ユーザからの印刷指示に基づいてスプールファイルＳＦをプリンタドライバ４２に供給するものである。プリンタドライバ４２は、画像形成装置１の動作を制御する、いわゆるデバイスドライバである。プリンタドライバ４２は、付加情報設定部４３と、プリントデータ生成部４４とを有している。
【００３０】
付加情報設定部４３は、付加情報ＩＮＦを設定するものである。具体的には、付加情報設定部４３は、ユーザに対してインタフェース画面を表示し、ユーザによる情報の入力を受け付け、その入力情報に基づいて付加情報ＩＮＦを設定するようになっている。
【００３１】
図５は、インタフェース画面の一例を表すものである。このインタフェース画面は、はき印刷を行う場合における、付加情報ＩＮＦの設定画面を示している。この例では、付加情報設定を“あり”に設定している。この場合には、ユーザは、郵便番号、住所、名前を入力することができる。付加情報設定部４３は、これらの情報に基づいて、付加情報ＩＮＦを生成するようになっている。なお、この例では、ユーザが郵便番号、住所、名前を直接入力するようにしたが、これに限定されるものではなく、例えばホストＰＣに記憶された、郵便番号、住所、名前などを含むデータベースの内容を読み込むようにしてもよい。
【００３２】
このインタフェース画面において、付加情報設定を“なし”に設定した場合には、付加情報設定部４３は、付加情報ＩＮＦを生成しないようになっている。また、付加情報設定を“プリンタ設定”に設定した場合には、画像形成装置１が生成した付加情報ＩＮＦを用いることができる。具体的には、例えば、ユーザが、画像形成装置１を直接操作し、例えば名刺から、郵便番号、住所、名前を読み取ることにより付加情報ＩＮＦを生成させる。付加情報設定を“プリンタ設定”に設定した場合には、このようにして生成した付加情報ＩＮＦを用いることができるようになっている。
【００３３】
プリントデータ生成部４４（図４）は、スプールファイルＳＦに基づいてプリントデータＤＰを生成するものである。ここで、プリントデータＤＰは、例えば、ページ記述言語（ＰＤＬ；Page Description Language）により記述されたものである。その際、プリントデータ生成部４４は、付加情報設定が“あり”に設定された場合には、付加情報設定部４３が生成した付加情報ＩＮＦに基づいてプリントデータＤＰを生成する。すなわち、プリントデータ生成部４４は、はがきにおける、郵便番号、住所、名前の印刷位置や大きさを予想して、その予想結果に基づいてプリントデータＤＰを生成する。また、プリントデータ生成部４４は、付加情報設定が“プリンタ設定”に設定された場合には、画像形成装置１が生成した付加情報ＩＮＦを用いて画像形成を行う旨をプリントデータＤＰに含ませるようになっている。
【００３４】
スキャナ制御部１８（図３）は、制御部３９からの指示に基づいて、画像読取ユニット１０に含まれる各部材の動作を制御するものである。スキャン画像変換部１９は、スキャナ制御部１８からの指示に基づいて、イメージセンサ１３が読み取った画像を、所定のデータフォーマットにフォーマット変換するものである。
【００３５】
入力部３２は、ユーザが画像形成装置１を操作する際に用いる入力インタフェースであり、例えば、各種ボタンや、タッチパネルなどにより構成されるものである。表示部３３は、画像形成装置１の状態などを表示するものであり、例えば液晶表示パネルなどを用いて構成されるものである。設定管理部３４は、画像形成装置１の各種設定を管理するものである。
【００３６】
記憶部３５は、プリントデータＤＰ、スキャンデータＤＳ、付加情報ＩＮＦなど、画像形成装置１が扱う各種データを記憶するものであり、例えば、ＨＤＤ（Hard Disk Drive）やＲＡＭ（Random Access Memory）などを用いて構成されている。
【００３７】
データ解析部３６は、プリントデータ解析部３６Ａと、スキャンデータ解析部３６Ｂと、付加情報解析部３６Ｃとを有している。プリントデータ解析部３６Ａは、プリントデータＤＰを解析するものである。スキャンデータ解析部３６Ｂは、スキャンデータＤＳを解析するものである。付加情報解析部３６Ｃは、付加情報ＩＮＦを解析するものである。
【００３８】
画像形成制御部２８は、制御部３９からの指示に基づいて、画像形成ユニット２０に含まれる各部材の動作を制御するものである。印刷イメージ生成部２９は、画像形成制御部２８からの指示に基づいて、印刷イメージを生成するものである。具体的には、印刷イメージ生成部２９は、後述するように、例えば、データ解析部３６による解析結果に基づいて、プリントデータＤＰを修正し、修正されたプリントデータＤＰに基づいて中間画像データＤＰ２を生成する機能を有している。
【００３９】
制御部３９は、画像形成装置１における各ブロックの動作を制御するものである。
【００４０】
ここで、画像読取ユニット１０は、本発明における「読取部」の一具体例に対応する。プリントデータ解析部３６Ａおよび印刷イメージ生成部２９は、本発明における「修正部」の一具体例に対応する。画像形成ユニット２０は、本発明における「画像形成部」の一具体例に対応する。郵便番号欄８２は、本発明における「特定パターン」の一具体例に対応する。
【００４１】
［動作および作用］
続いて、本実施の形態の画像形成装置１の動作および作用について説明する。
【００４２】
（全体動作概要）
まず、図３を参照して、画像形成装置１の全体動作概要を説明する。通信部３１は、ホストＰＣ４０から供給されたプリントデータＤＰを受け取る。スキャナ制御部１８は、画像読取ユニット１０に含まれる各部材の動作を制御する。これにより、画像読取ユニット１０は、印刷媒体８の画像を読み取る。スキャン画像変換部１９は、読み取った画像を所定のデータフォーマットにフォーマット変換することによりスキャンデータＤＳを生成する。記憶部３５は、プリントデータＤＰ、スキャンデータＤＳ、および付加情報ＩＮＦを記憶する。データ解析部３６のプリントデータ解析部３６Ａは、プリントデータＤＰを解析し、スキャンデータ解析部３６Ｂは、スキャンデータＤＳを解析し、付加情報解析部３６Ｃは、付加情報ＩＮＦを解析する。印刷イメージ生成部２９は、データ解析部３６による解析結果に基づいて、プリントデータＤＰを修正し、修正されたプリントデータＤＰに基づいて中間画像データＤＰ２を生成する。画像形成制御部２８は、この中間画像データＤＰ２に基づいて、画像形成ユニット２０に含まれる各部材の動作を制御する。これにより、画像形成ユニット２０は、画像読取ユニット１０が画像を読み取った印刷媒体８に対して印刷を行う。
【００４３】
（詳細動作）
図６Ａ，６Ｂは、画像形成装置１の一動作例を表すものである。この例では、図２に示したように、はがきを印刷媒体８として用いた場合の一具体例を示している。ホストＰＣ４０からプリントデータＤＰを受け取ると、画像形成装置１は、まず、そのプリントデータＤＰを解析する。そして、画像形成装置１は、印刷媒体８の画像を読み取ることによりスキャンデータＤＳを生成し、そのスキャンデータＤＳを解析し、その解析結果に基づいて、プリントデータＤＰを修正する。そして、画像形成装置１は、修正されたプリントデータＤＰに基づいて、画像を読み取った印刷媒体８に対して印刷を行う。以下に、この動作について詳細に説明する。
【００４４】
まず、通信部３１は、ホストＰＣ４０から送信されたプリントデータＤＰを受け取る（ステップＳ１）。そして、記憶部３５は、このプリントデータＤＰを記憶する。
【００４５】
次に、プリントデータ解析部３６Ａは、プリントデータＤＰを解析する（ステップＳ２）。そして、プリントデータ解析部３６Ａは、プリントデータＤＰから付加情報設定を抽出する。
【００４６】
次に、付加情報解析部３６Ｃは、付加情報設定を確認する（ステップＳ３）。具体的には、付加情報解析部３６Ｃは、プリントデータＤＰに付加情報ＩＮＦが含まれている場合には、付加情報設定が“あり”であると判断し、プリントデータＤＰに、画像形成装置１が生成した付加情報ＩＮＦを用いて画像形成を行う旨が含まれている場合には、付加情報設定が“プリンタ設定”であると判断し、それ以外の場合には、付加情報設定が“なし”であると判断する。
【００４７】
ステップＳ３において、付加情報設定が“あり”であると判断された場合（ステップＳ３において“あり”）には、ステップＳ６に進む。また、付加情報設定が“なし”であると判断された場合（ステップＳ３において“なし”）には、印刷イメージ生成部２９は、プリントデータＤＰに基づいて、中間画像データＤＰ２を生成し（ステップＳ２８）、画像形成ユニット２０は、供給トレイ２１から供給された印刷媒体８に対して印刷を行う（ステップＳ２９）。
【００４８】
ステップＳ３において、付加情報設定が“プリンタ設定”であると判断された場合（ステップＳ３において“プリンタ設定”）には、設定管理部３４は、プリンタ設定があるか否かを確認する（ステップＳ４）。具体的には、設定管理部３４は、記憶部３５に、画像形成装置１が生成した付加情報ＩＮＦが記憶されているか否かを確認することにより、プリンタ設定があるか否かを確認する。
【００４９】
ステップＳ４において、プリンタ設定がある場合（ステップＳ４において“Ｙ”）には、設定管理部３４は、プリンタ設定を解析する（ステップＳ５）。これにより、設定管理部３４は、画像形成装置１が生成した付加情報ＩＮＦを取得する。また、ステップＳ４において、プリンタ設定がない場合（ステップＳ４において“Ｎ”）には、ステップＳ２８に進む。
【００５０】
次に、画像読取ユニット１０は、供給トレイ１２にセットされた印刷媒体８の画像を読み取る（ステップＳ６）。これにより、画像読取ユニット１０はスキャンデータＤＳを生成する。そして、記憶部３５は、このスキャンデータＤＳを記憶する。
【００５１】
次に、スキャンデータ解析部３６Ｂは、スキャンデータＤＳを解析する（ステップＳ７）。
【００５２】
そして、スキャンデータ解析部３６Ｂは、郵便番号欄８２を識別できたか否かを確認する（ステップＳ８）。郵便番号欄８２を識別できなかった場合（ステップＳ８において“Ｎ”）において、まだ印刷媒体８の両面の画像を読み取っていないときは（ステップＳ９において“Ｎ”）、画像読取ユニット１０は、印刷媒体８を裏返す（ステップＳ１０）。具体的には、スキャナ制御部１８は、印刷媒体８を搬送路９Ｂに沿って搬送させることにより、印刷媒体８を裏返す。そして、ステップＳ６に戻り、ステップＳ６〜Ｓ８の動作を繰り返す。また、すでに印刷媒体８の両面の画像を読み取っている場合（ステップＳ９において“Ｙ”）には、スキャンデータ解析部３６Ｂは、郵便番号欄８２が印刷媒体８の表面および裏面のどちらにもないため、印刷媒体８がはがきではないと判断し、ステップＳ２８に進む。
【００５３】
ステップＳ８において、郵便番号欄８２を識別できた場合（ステップＳ８において“Ｙ”）には、次に、スキャンデータ解析部３６Ｂは、印刷媒体８の向きは適切か否かを確認する（ステップＳ１１）。具体的には、スキャンデータ解析部３６Ｂは、例えば、スキャンデータＤＳにおける郵便番号欄８２の位置などに基づいて、印刷媒体８の向きが適切か否かを確認する。印刷媒体８の向きが適切でない場合（ステップＳ１１において“Ｎ”）には、印刷イメージ生成部２９は、プリントデータＤＰが示す画像データを１８０度回転することにより、プリントデータＤＰを修正する（ステップＳ１２）。そして、ステップＳ１３に進む。
【００５４】
ステップＳ１１において、印刷媒体８の向きが適切である場合（ステップＳ１１において“Ｙ”）には、次に、スキャンデータ解析部３６Ｂは、印刷位置および大きさが適切か否かを確認する（ステップＳ１３）。具体的には、スキャンデータ解析部３６Ｂは、スキャンデータＤＳの郵便番号欄８２に基づいて、郵便番号の印刷位置および大きさが適切か否かを確認する。また、スキャンデータ解析部３６Ｂは、スキャンデータＤＳに基づいて印刷対象領域８４（図２（Ｂ））を検出し、この印刷対象領域８４の位置および大きさに基づいて、宛先住所および宛名の印刷位置および大きさが適切か否かを確認する。印刷位置および大きさが適切でない場合（ステップＳ１３において“Ｎ”）には、印刷イメージ生成部２９は、プリントデータＤＰが示す画像データを、拡大または縮小しあるいは位置をずらして調整することにより、プリントデータＤＰを修正する（ステップＳ１４）。そして、ステップＳ１５に進む。
【００５５】
ステップＳ１３において、印刷位置および大きさが適切である場合（ステップＳ１３において“Ｙ”）には、印刷イメージ生成部２９は、プリントデータＤＰに基づいて、中間画像データＤＰ２を生成する（ステップＳ１５）。
【００５６】
次に、画像形成装置１は、プレビュー処理を行う（ステップＳ１６）。具体的には、制御部３９は、スキャンデータＤＳと、印刷イメージ生成部２９が生成した中間画像データＤＰ２とを重ね合わせることにより、図２（Ｃ）に示したような印刷後の画像を生成し、表示部３３がこの画像を表示する。
【００５７】
次に、画像形成ユニット２０は、中間画像データＤＰ２に基づいて、画像読取ユニット１０から供給された印刷媒体８に対して印刷を行う（ステップＳ１７）。
【００５８】
以上でこのフローは終了する。
【００５９】
このように、画像形成装置１では、印刷媒体８の画像を読み取り、その読み取った画像に基づいてプリントデータＤＰを修正するようにしたので、印刷媒体８に対応して、適切な向き、適切な位置および大きさで、印刷を行うことができる。その結果、画像形成装置１では、ユーザが印刷位置の調整などを行う必要がないので、ユーザの利便性を高めることができる。
【００６０】
［効果］
以上のように本実施の形態では、印刷媒体の画像を読み取り、その読み取った画像に基づいてプリントデータを修正するようにしたので、ユーザの利便性を高めることができる。
【００６１】
［変形例１−１］
上記実施の形態では、印刷媒体８としてはがきを用いたが、これに限定されるものではなく、例えば、封筒を用いてもよい。また、図７に示したような絵はがきを用いてもよい。この絵はがきは、切手欄８１と、飾り線８９とを有している。この例では、スキャンデータ解析部３６Ｂは、スキャンデータＤＳに基づいて印刷対象領域８４を検出し、この印刷対象領域８４の位置および大きさに基づいて、宛先住所および宛名の印刷位置および大きさを調整するようにすることができる。なお、封筒や絵はがきに限定されるものではなく、所定の情報を記載する欄が設けられた様々な印刷媒体を用いることができる。
【００６２】
＜２．第２の実施の形態＞
次に、第２の実施の形態に係る画像形成装置２について説明する。本実施の形態は、印刷媒体８の画像を読み取り、その読み取った画像に基づいて付加情報ＩＮＦを生成するものである。なお、上記第１の実施の形態に係る画像形成装置１と実質的に同一の構成部分には同一の符号を付し、適宜説明を省略する。
【００６３】
図８は、画像形成装置２における動作の一具体例を表すものである。この例では、印刷媒体８は、選択式試験を行う際に用いるマークシート用紙である。このマークシート用紙は、マーク８５および解答欄８６を有している（図８（Ａ））。マーク８５は、例えば、受験者により、複数の欄のうちの１つがすでに鉛筆などで塗りつぶされたものである。この例では、マーク８５は、選択式試験の選択肢ａ，ｂ，ｃ，ｄに対応する４つの欄を含んでいる。解答欄８６は、受験者の解答が不正解である場合に、画像形成装置２により正解（後述する解答情報Ａ２）が印刷される欄である。画像読取ユニット１０は、このような解答済みのマークシート用紙を読み取り、スキャンデータＤＳを生成する（図８（Ｂ））。そして、画像形成装置２は、このスキャンデータＤＳをサーバ５０（後述）に供給する。サーバ５０は、このスキャンデータＤＳに基づいて採点処理を行い、その処理結果に基づいて、付加情報ＩＮＦを生成する。この付加情報ＩＮＦは、各問の解答が正解であるか不正解であるかを示す情報Ａ１を含んでいる。さらに、付加情報ＩＮＦは、解答が不正解である問について、解答の正解を示す解答情報Ａ２を含んでいる。サーバ５０は、このような付加情報ＩＮＦに基づいてプリントデータＤＰを生成し、このプリントデータＤＰを画像形成装置２に供給する。画像形成装置２は、スキャンデータＤＳに基づいて、上記第１の実施の形態の場合と同様に、プリントデータＤＰを修正する。そして、画像形成ユニット２０は、修正されたプリントデータＤＰに基づいて、図８（Ｃ）に示すように、印刷媒体８に対して印刷を行う。その際、画像形成ユニット２０は、情報Ａ１に基づいて、マーク８５に重ねて“○”または“×”を印刷する。ここで“○”は正解を示し、“×”は不正解を示す。また、画像形成ユニット２０は、解答情報Ａ２を解答欄８６に印刷するようになっている。
【００６４】
図９は、画像形成装置２における制御機構の一例を表すものである。画像形成装置２は、通信部３８を有している。通信部３８は、この例では、サーバ５０に対してスキャンデータＤＳを供給するとともに、サーバ５０からプリントデータＤＰを受け取るものである。  サーバ５０は、スキャンデータＤＳに基づいて採点処理を行い、その処理結果に基づいて付加情報ＩＮＦを生成するものである。そして、サーバ５０は、その付加情報ＩＮＦに基づいてプリントデータＤＰを生成するようになっている。
【００６５】
図１０は、サーバ５０のソフトウェア構成の一例を表すものである。サーバ５０は、スキャンデータ取得部５１と、採点処理部５２と、データベース５３と、付加情報生成部５４と、プリントデータ生成部５５とを有している。
【００６６】
スキャンデータ取得部５１は、画像形成装置２から供給されたスキャンデータＤＳを取得するものである。
【００６７】
採点処理部５２は、スキャンデータＤＳに基づいて採点処理を行うものである。データベース５３は、採点処理部５２が採点処理を行う際に使用するデータベースである。
【００６８】
図１１は、データベース５３の一構成例を表すものである。図１２は、スキャンデータＤＳにおけるマーク８５および解答欄８６の位置を表すものである。図１１に示したように、データベース５３では、マーク８５の位置と、正解マーク８５Ａと、解答欄８６の位置と、解答情報Ａ２とが関連づけられている。ここで、マーク８５の位置ＰＱ１，ＰＱ２，ＰＱ３，…は、各問に対応して設定されている。同様に、解答欄８６の位置ＰＡ１，ＰＡ２，ＰＡ３，…は、各問に対応して設定されている。正解マーク８５Ａは、各問に対する正解を示すマークである。解答情報Ａ２は、各問に対する正解を示すものであり、解答欄８６に印刷されるものである。
【００６９】
採点処理部５２は、このようなデータベース５３を用いて、以下のように採点処理を行う。すなわち、採点処理部５２は、スキャンデータＤＳに基づいて、位置ＰＱ１，ＰＱ２，ＰＱ３，…の各位置付近に、その位置に対応する正解マーク８５Ａがあるか否かを検出することにより、各問の解答が正解であるか不正解であるかを判断する。図１２の例では、位置ＰＱ１付近にあるマーク８５は、この位置ＰＱ１に対応する正解マーク８５Ａ（図１１）と一致する。よって、採点処理部５２は、問１の解答は正解と判断する。また、位置ＰＱ２付近にあるマーク８５は、この位置ＰＱ２に対応する正解マーク８５Ａ（図１１）と一致しない。よって、採点処理部５２は、問２の解答は不正解と判断する。また、位置ＰＱ３付近にあるマーク８５は、この位置ＰＱ３に対応する正解マーク８５Ａ（図１１）と一致する。よって、採点処理部５２は、問３の解答は正解と判断する。採点処理部５２は、このようにして各問の解答が正解であるか不正解であるかを判断することにより、採点処理を行うようになっている。
【００７０】
付加情報生成部５４（図１０）は、採点処理部５２による採点結果に基づいて、図８に示したような付加情報ＩＮＦを生成するものである。すなわち、付加情報生成部５４は、各問の解答が正解であるか不正解であるかを示す情報Ａ１と、解答が不正解である問についての解答情報Ａ２とに基づいて、付加情報ＩＮＦを生成するようになっている。
【００７１】
プリントデータ生成部５５は、付加情報生成部５４が生成した付加情報ＩＮＦに基づいてプリントデータＤＰを生成するものである。ここで、プリントデータＤＰは、例えば、ページ記述言語により記述されたものである。このプリントデータ生成部５５は、マークシート用紙における、情報Ａ１に対応する“○”または“×”、および解答情報Ａ２の印刷位置や大きさを予想して、その予想結果に基づいてプリントデータＤＰを生成する。その際、プリントデータ生成部５５は、情報Ａ１に基づいて、マーク８５に重ねて“○”または“×”を配置する。また、プリントデータ生成部５５は、スキャンデータＤＳに基づいて印刷対象領域８７（図８（Ｂ））を検出し、この印刷対象領域８７に解答情報Ａ２のうちの少なくとも一部を配置するようになっている。
【００７２】
ここで、採点処理部５２およびデータベース５３は、本発明における「検出部」の一具体例に対応する。付加情報生成部５４は、本発明における「処理部」の一具体例に対応する。プリントデータ生成部５５は、本発明における「生成部」の一具体例に対応する。マーク８５および正解マーク８５Ａは、本発明における「特定パターン」の一具体例に対応する。
【００７３】
図１３Ａ，１３Ｂは、画像形成装置２の一動作例を表すものである。この例では、図８に示したように、マークシート用紙を印刷媒体８として用いた場合の一具体例を示している。まず、画像形成装置２が、印刷媒体８の画像を読み取ることによりスキャンデータＤＳを生成し、そのスキャンデータＤＳをサーバ５０に供給する。サーバ５０は、そのスキャンデータＤＳに基づいて採点処理を行い、その採点結果に基づいて付加情報ＩＮＦを生成する。そして、サーバ５０は、この付加情報ＩＮＦに基づいてプリントデータＤＰを生成し、そのプリントデータＤＰを画像形成装置２に供給する。画像形成装置２は、スキャンデータＤＳを解析し、その解析結果に基づいて、プリントデータＤＰを修正する。そして、画像形成装置２は、修正されたプリントデータＤＰに基づいて、画像を読み取った印刷媒体８に対して印刷を行う。以下に、この動作について詳細に説明する。
【００７４】
まず、画像読取ユニット１０は、供給トレイ１２にセットされた印刷媒体８の画像を読み取る（ステップＳ３１）。これにより、画像読取ユニット１０はスキャンデータＤＳを生成する。そして、記憶部３５は、このスキャンデータＤＳを記憶する。
【００７５】
次に、スキャンデータ解析部３６Ｂは、スキャンデータＤＳを解析する（ステップＳ７）。
【００７６】
そして、スキャンデータ解析部３６Ｂは、マーク８５を識別できたか否かを確認する（ステップＳ３３）。マーク８５を識別できなかった場合（ステップＳ３３において“Ｎ”）において、まだ印刷媒体８の両面の画像を読み取っていないときは（ステップＳ３４において“Ｎ”）、画像読取ユニット１０は、印刷媒体８を裏返す（ステップＳ３５）。そして、ステップＳ３１に戻り、ステップＳ３１〜Ｓ３３の動作を繰り返す。また、すでに印刷媒体８の両面の画像を読み取っている場合（ステップＳ３４において“Ｙ”）には、スキャンデータ解析部３６Ｂは、マーク８５が印刷媒体８の表面および裏面のどちらにもないため、印刷媒体８がマークシート用紙ではないと判断し、表示部３３がエラーを表示する（ステップＳ４９）。
【００７７】
ステップＳ３３において、マーク８５を識別できた場合（ステップＳ３３において“Ｙ”）には、通信部３８は、スキャンデータＤＳをサーバ５０に供給する（ステップＳ３６）。サーバ５０のスキャンデータ取得部５１は、このスキャンデータＤＳを取得する。
【００７８】
次に、サーバ５０の採点処理部５２は、データベース５３を用いて、採点処理を行う（ステップＳ３７）。次に、付加情報生成部５４は、採点処理部５２による採点結果に基づいて、図８に示したような付加情報ＩＮＦを生成する（ステップＳ３８）。次に、プリントデータ生成部５５は、付加情報生成部５４が生成した付加情報ＩＮＦに基づいてプリントデータＤＰを生成する（ステップＳ３９）。その際、プリントデータ生成部５５は、マークシート用紙における、情報Ａ１に対応する“○”または“×”、および解答情報Ａ２の印刷位置や大きさを予想して、その予想結果に基づいてプリントデータＤＰを生成する。そして、プリントデータ生成部５５は、このプリントデータＤＰを、画像形成装置２に供給する（ステップＳ４０）。
【００７９】
次に、画像形成装置２のスキャンデータ解析部３６Ｂは、印刷媒体８の向きは適切か否かを確認する（ステップＳ４１）。具体的には、スキャンデータ解析部３６Ｂは、例えば、スキャンデータＤＳにおけるマーク８５の位置などに基づいて、印刷媒体８の向きが適切か否かを確認する。印刷媒体８の向きが適切でない場合（ステップＳ４１において“Ｎ”）には、印刷イメージ生成部２９は、プリントデータＤＰが示す画像データを１８０度回転することにより、プリントデータＤＰを修正する（ステップＳ４２）。そして、ステップＳ４３に進む。
【００８０】
ステップＳ４１において、印刷媒体８の向きが適切である場合（ステップＳ４１において“Ｙ”）には、次に、スキャンデータ解析部３６Ｂは、印刷位置および大きさが適切か否かを確認する（ステップＳ４３）。具体的には、スキャンデータ解析部３６Ｂは、スキャンデータＤＳにおけるマーク８５の位置に基づいて、情報Ａ１に対応する“○”または“×”の印刷位置および大きさが適切か否かを確認する。また、スキャンデータ解析部３６Ｂは、スキャンデータＤＳに基づいて印刷対象領域８７（図８（Ｂ））を検出し、この印刷対象領域８７の位置および大きさに基づいて、解答情報Ａ２の印刷位置および大きさが適切か否かを確認する。印刷位置および大きさが適切でない場合（ステップＳ４３において“Ｎ”）には、印刷イメージ生成部２９は、プリントデータＤＰが示す画像データを、拡大または縮小しあるいは位置をずらして調整することにより、プリントデータＤＰを修正する（ステップＳ４４）。そして、ステップＳ４５に進む。
【００８１】
ステップＳ４３において、印刷位置および大きさが適切である場合（ステップＳ４３において“Ｙ”）には、印刷イメージ生成部２９は、プリントデータＤＰに基づいて、中間画像データＤＰ２を生成する（ステップＳ４５）。
【００８２】
次に、画像形成装置２は、プレビュー処理を行う（ステップＳ４６）。具体的には、制御部３９は、スキャンデータＤＳと、印刷イメージ生成部２９が生成した中間画像データＤＰ２とを重ね合わせることにより、図８（Ｃ）に示したような印刷後の画像を生成し、表示部３３がこの画像を表示する。
【００８３】
次に、画像形成ユニット２０は、中間画像データＤＰ２に基づいて、画像読取ユニット１０から供給された印刷媒体８に対して印刷を行う（ステップＳ４７）。
【００８４】
以上でこのフローは終了する。
【００８５】
このように、画像形成装置２では、印刷媒体８の画像を読み取り、サーバ５０がその読み取った画像に基づいて付加情報ＩＮＦを生成するようにしたので、処理の自由度を高めることができるため、ユーザの利便性を高めることができる。
【００８６】
また、画像形成装置２では、印刷媒体８の画像を読み取り、その読み取った画像に基づいてプリントデータＤＰを修正するようにしたので、上記第１の実施の形態にかかる画像形成装置１と同様に、ユーザの利便性を高めることができる。
【００８７】
以上のように本実施の形態では、印刷媒体の画像を読み取り、その読み取った画像に基づいて付加情報を生成するようにしたのでユーザの利便性を高めることができる。その他の効果は、上記第１の実施の形態の場合と同様である。
【００８８】
［変形例２−１］
上記実施の形態では、印刷媒体８としてマークシート用紙を用いたが、これに限定されるものではなく、所定の情報を記載する欄が設けられた様々な印刷媒体を用いることができる。
【００８９】
［変形例２−２］
上記実施の形態では、サーバ５０が採点処理を行ったが、これに限定されるものではない。これに代えて、例えばホストＰＣが採点処理を行ってもよい。また、例えば、図１４に示す画像形成装置２Ｂのように、画像形成装置２Ｂ自体が採点処理をも行うようにしてもよい。この画像形成装置２Ｂは、処理部５９を有している。処理部５９は、採点処理を行うものである。具体的には、処理部５９は、上記実施の形態に係る採点処理部５２、データベース５３、付加情報生成部５４、およびプリントデータ生成部５５と同様の機能を有するものである。
【００９０】
［変形例２−３］
上記実施の形態では、採点処理部５２は、各問の解答が正解であるか不正解であるかを判断するようにしたが、さらに、受験者の解答を取得するようにしてもよい。さらに、付加情報生成部５４は、採点処理部５２による採点結果に加え、受験者の解答にも基づいて、付加情報ＩＮＦを生成してもよい。その際、付加情報ＩＮＦは、受験者の解答に応じた解説を含むようにすることができる。
【００９１】
以上、いくつかの実施の形態および変形例を挙げて本発明を説明したが、本発明はこれらの実施の形態等には限定されず、種々の変形が可能である。
【００９２】
例えば、上記の各実施の形態では、修正されたプリントデータＤＰに基づいて、画像を読み取った印刷媒体８に対して印刷を行うようにしたが、これに限定されるものではない。これに代えて、画像を読み取った印刷媒体８とは異なる印刷媒体８に対して印刷を行ってもよい。具体的には、例えば、プレビュー処理と同様に、スキャンデータＤＳと、印刷イメージ生成部２９が生成した中間画像データＤＰ２とを重ね合わせ、この重ね合わせた画像を、画像を読み取った印刷媒体８とは異なる印刷媒体に印刷してもよい。
【００９３】
また、例えば、上記の各実施の形態では、処理結果を印刷媒体８に印刷したが、これに限定されるものではなく、例えば、印刷まで行わないようにしてもよい。すなわち、この場合には、例えば、プレビュー処理により画像を生成し、その生成した画像を記憶するようにしてもよい。その場合、例えば、画像形成装置１，２、ホストＰＣ４０、およびサーバ５０の代わりに、カメラ機能を有するいわゆるスマートフォンを用いることができる。
【００９４】
この変形例を第１の実施の形態に適用した場合には、まず、スマートフォンが、プリントデータＤＰ（付加情報ＩＮＦ）を生成するとともに、印刷媒体８を撮影することによりスキャンデータＤＳを生成する。そして、このスマートフォンが、プリントデータＤＰおよびスキャンデータＤＳに基づいて、上記第１の実施の形態の場合と同様の処理を行った後にプレビュー処理を行う。そして、このスマートフォンは、プレビュー処理により生成した画像を記憶する。
【００９５】
また、この変形例を第２の実施の形態に適用した場合には、まず、スマートフォンが、印刷媒体８を撮影することによりスキャンデータＤＳを生成し、このスキャンデータＤＳに基づいてプリントデータＤＰ（付加情報ＩＮＦ）を生成する。そして、このスマートフォンが、プリントデータＤＰおよびスキャンデータＤＳに基づいて、上記第２の実施の形態の場合と同様の処理を行った後にプレビュー処理を行う。そして、このスマートフォンは、プレビュー処理により生成した画像を記憶する。
【符号の説明】
【００９６】
１，２，２Ｂ…画像形成装置、８…印刷媒体、９Ａ〜９Ｅ…搬送路、１０…画像読取ユニット、１２…供給トレイ、１３…イメージセンサ、１４…排出トレイ、１８…スキャナ制御部、１９…スキャン画像変換部、２０…画像形成ユニット、２１…供給トレイ、２２，２２Ｋ，２２Ｙ，２２Ｍ，２２Ｃ…ＩＤ（Image Dram）ユニット、２３，２３Ｋ，２３Ｙ，２３Ｍ，２３Ｃ…感光体、２４，２４Ｋ，２４Ｙ，２４Ｍ，２４Ｃ…光源、２５，２５Ｋ，２５Ｙ，２５Ｍ，２５Ｃ…転写ローラ、２６…定着部、２６Ａ…ヒートローラ、２６Ｂ…加圧ローラ、２７…排出トレイ、２８…画像形成制御部、２９…印刷イメージ生成部、３１…通信部、３２…入力部、３３…表示部、３４…設定管理部、３５…記憶部、３６…データ解析部、３６Ａ…プリントデータ解析部、３６Ｂ…スキャンデータ解析部、３６Ｃ…付加情報解析部、３８…通信部、３９…制御部、４０…ホストＰＣ（Personal Computer）、４１…アプリケーションソフトウェア、４２…プリンタドライバ、４３…付加情報設定部、４４…プリントデータ生成部、５０…サーバ、５１…スキャンデータ取得部、５２…採点処理部、５３…データベース、５４…付加情報生成部、５５…プリントデータ生成部、５９…処理部、８１…切手欄、８２…郵便番号欄、８３…広告、８４…印刷対象領域、８５…マーク、８５Ａ…正解マーク、８６…解答欄、８７…印刷対象領域、Ａ１…情報、Ａ２…解答情報、ＤＰ…プリントデータ、ＤＰ２…中間画像データ、ＤＳ…スキャンデータ、Ｆ…搬送方向、ＩＮＦ…付加情報、ＳＦ…スプールファイル。
【図１】
2017046171.tif 000003
【図２】
2017046171.tif 000004
【図３】
2017046171.tif 000005
【図４】
2017046171.tif 000006
【図５】
2017046171.tif 000007
【図６Ａ】
2017046171.tif 000008
【図６Ｂ】
2017046171.tif 000009
【図７】
2017046171.tif 000010
【図８】
2017046171.tif 000011
【図９】
2017046171.tif 000012
【図１０】
2017046171.tif 000013
【図１１】
2017046171.tif 000014
【図１２】
2017046171.tif 000015
【図１３Ａ】
2017046171.tif 000016
【図１３Ｂ】
2017046171.tif 000017
【図１４】
2017046171.tif 000018